(57)【要約】【課題】  波付管やケーブルの長手方向の移動を防止して、それら波付管やケーブルをしっかりと結束することができる、結束バンドを提供する。【解決手段】  合成樹脂製の結束バンド３は、波付管１、または軟質合成樹脂材により被覆されたケーブル２を結束する。この結束バンド３は、バンド本体３ａと突出部３ｂとを備える。バンド本体３ａは、長尺状に延びかつ板状に形成される。突出部３ｂは、バンド本体３ａの、少なくとも一方の面の、幅方向の両端において、それら両端に沿って延びる。そこで、突出部３ｂ、３ｂの少なくとも一方が波付管１の谷部１ｂに入り込んで、または突出部３ｂ、３ｂの両方がケーブル２の被覆に食い込んで、波付管１またはケーブル２の、長手方向Ｐの移動を防止する。【選択図】  図２
2015009814.tif 000002
【特許請求の範囲】
【請求項１】
長手方向に山部と谷部が交互に連続する波付管、または軟質合成樹脂材により被覆されたケーブルに回されるようにして、その波付管またはケーブルを結束する、合成樹脂製の結束バンドであって、
長尺状に延びかつ板状に形成されたバンド本体と、そのバンド本体の、少なくとも一方の面の、幅方向の両端において、それら両端に沿って延びる突出部とを、備え、
前記突出部の少なくとも一方が前記波付管の谷部に入り込んで、または前記突出部の両方が前記ケーブルの被覆に食い込んで、前記波付管または前記ケーブルの、長手方向の移動を防止することを特徴とする結束バンド。
【請求項２】
前記突出部は、前記バンド本体の両方の面に形成されていることを特徴とする、請求項１に記載の結束バンド。
【請求項３】
前記結束バンドは、前記バンド本体の一方の面において、一方の突出部が前記波付管の山部に乗り上げても、もう一方の突出部がその基端まで前記波付管の谷部に入り込むことが可能に形成されていることを特徴とする、請求項１または２に記載の結束バンド。
【請求項４】
請求項１ないし３のいずれか１項に記載の結束バンドと、止め具とからなる、結束具であって、
前記止め具は、前記結束バンドが通される通し孔と、その通し孔に通された前記結束バンドを係止する係止爪とを備えることを特徴とする結束具。
【請求項５】
前記止め具は、前記通し孔に通された前記結束バンドに対し、前記バンド本体の一方の面の前記突出部から控えた控え面に当接する凸部を備え、
前記係止爪は、前記凸部と対向位置し、前記凸部と前記係止爪とで前記バンド本体を挟み込むことを特徴とする、請求項４に記載の結束具。
【発明の詳細な説明】
【技術分野】
【０００１】
この発明は、波付管とかケーブルをしっかりと結束することができる、結束バンドおよび結束具に関するものである。
【背景技術】
【０００２】
従来、ケーブル等を結束する結束具においては、ストラップ（結束バンド）の表面に、ローレット目を設けたものがあった（例えば、特許文献１参照）。このローレット目は、ストラップを引き締める際の指の滑りを防止するためのものであって、斜めの目を交差させたあや目状に形成されていた。
【先行技術文献】
【特許文献】
【０００３】
【特許文献１】特開２００１−２５１４１号公報
【発明の概要】
【発明が解決しようとする課題】
【０００４】
ところで、前記従来のストラップ（結束バンド）にあっては、表面にローレット目が形成されていたが、結束されるケーブル等との関係においては、そのケーブル等の長手方向の移動を十分に阻止することは困難であった。
【０００５】
この発明は、上記した従来の欠点を解決するためになされたものであり、その目的とするところは、波付管やケーブルの長手方向の移動を防止して、それら波付管やケーブルをしっかりと結束することができる、結束バンドおよび結束具を提供することにある。
【課題を解決するための手段】
【０００６】
この発明に係る結束バンドおよび結束具は、前記目的を達成するために、次の構成からなる。すなわち、
請求項１に記載の発明に係る結束バンドは、長手方向に山部と谷部が交互に連続する波付管、または軟質合成樹脂材により被覆されたケーブルに回されるようにして、その波付管またはケーブルを結束する、合成樹脂製の結束バンドである。この結束バンドは、長尺状に延びかつ板状に形成されたバンド本体と、そのバンド本体の、少なくとも一方の面の、幅方向の両端において、それら両端に沿って延びる突出部とを、備える。そこで、前記突出部の少なくとも一方が前記波付管の谷部に入り込んで、または前記突出部の両方が前記ケーブルの被覆に食い込んで、前記波付管または前記ケーブルの、長手方向の移動を防止する。
【０００７】
この結束バンドによると、バンド本体の幅方向の両端には、それら両端に沿って延びる突出部が設けられている。そこで、この結束バンドで、波付管を結束する場合には、突出部の少なくとも一方が波付管の谷部に入り込む。そして、この結束バンドで、軟質合成樹脂材により被覆されたケーブルを結束する場合には、突出部の両方がケーブルの被覆に食い込む。こうして、突出部が、波付管の谷部に入り込んだり、ケーブルの被覆に食い込んだりすることで、波付管やケーブルの長手方向の移動を防止する。
【０００８】
また、請求項２に記載の発明に係る結束バンドは、請求項１に記載の結束バンドにおいて、前記突出部は、前記バンド本体の両方の面に形成される。
【０００９】
また、請求項３に記載の発明に係る結束バンドは、請求項１または２に記載の結束バンドにおいて、前記結束バンドは、前記バンド本体の一方の面において、一方の突出部が前記波付管の山部に乗り上げても、もう一方の突出部がその基端まで前記波付管の谷部に入り込むことが可能に形成される。
【００１０】
また、請求項４に記載の発明に係る結束具は、請求項１ないし３のいずれか１項に記載の結束バンドと、止め具とからなる。ここで、前記止め具は、前記結束バンドが通される通し孔と、その通し孔に通された前記結束バンドを係止する係止爪とを備える。
【００１１】
また、請求項５に記載の発明に係る結束具は、請求項４に記載の結束具において、前記止め具は、前記通し孔に通された前記結束バンドに対し、前記バンド本体の一方の面の前記突出部から控えた控え面に当接する凸部を備える。そして、前記係止爪は、前記凸部と対向位置し、前記凸部と前記係止爪とで前記バンド本体を挟み込む。こうして、止め具が、結束バンドの控え面に当接する凸部を備えて、係止爪が、凸部とでバンド本体を挟み込むため、係止爪は、バンド本体を確実に係止する。
【発明の効果】
【００１２】
この発明に係る結束バンドおよび結束具によれば、幅方向の両端に沿って延びる突出部が、波付管の谷部に入り込んだり、ケーブルの被覆に食い込んだりすることで、波付管やケーブルの長手方向の移動を防止して、それら波付管やケーブルをしっかりと結束することができる。
【図面の簡単な説明】
【００１３】
【図１】この発明一実施の形態の、波付管を結束した状態を示す、斜視図である。
【図２】同じく、一部を破断した正面図である。
【図３】同じく、図２におけるＡ−Ａ線による断面図である。
【図４】同じく、結束バンドの傾斜を示す、図２相当図である。
【図５】同じく、ケーブルを結束した状態を示す、図２相当図である。
【図６】同じく、結束バンドの平面図である。
【図７】同じく、結束バンドの拡大正面図である。
【図８】同じく、止め具の斜視図である。
【図９】同じく、止め具の平面図である。
【図１０】同じく、図９におけるＢ−Ｂ線による断面図である。
【発明を実施するための形態】
【００１４】
以下、この発明に係る結束バンドおよび結束具を実施するための形態を図面に基づいて説明する。
【００１５】
図１〜図１０は、本発明の一実施の形態を示す。図中符号１は、長手方向Ｐに山部１ａと谷部１ｂが交互に連続する波付管を示す。２は、軟質合成樹脂材により被覆されたケーブルを示す。３は、前記波付管１またはケーブル２に回されるようにして、その波付管１またはケーブル２を結束する、合成樹脂製の結束バンド０を示す。４は、前記結束バンド３を止めるための止め具を示す。５は、前記結束バンド３と止め具４とからなる、結束具を示す。
【００１６】
ここで、結束バンド３は、長尺状に延びかつ板状に形成されたバンド本体３ａと、そのバンド本体３ａの、少なくとも一方の面の、幅方向の両端において、それら両端に沿って（つまり、バンド本体３ａ（結束バンド３）の長手方向Ｑに）連続して延びる突出部３ｂ、３ｂとを、備える。そこで、突出部３ｂ、３ｂの少なくとも一方が波付管１の谷部１ｂに入り込んで（図２、図４参照）、または突出部３ｂ、３ｂの両方がケーブル２の被覆に食い込んで（図５参照）、波付管１またはケーブル２の、長手方向Ｐの移動を防止する。
【００１７】
詳細には、結束バンド３の突出部３ｂは、バンド本体３ａの両方の面に形成されている。そして、バンド本体３ａの各面における、突出部３ｂから控えた控え面３ｃには、しぼ模様（図示省略）が付される。
【００１８】
また、結束バンド３は、バンド本体３ａの一方の面において、一方の突出部３ｂが波付管１の山部１ａに乗り上げても、もう一方の突出部３ｂがその基端まで波付管１の谷部１ｂに入り込むことが可能に形成されている（図４参照）。すなわち、結束バンド３を波付管１に回し、一方の突出部３ｂが山部１ａと対向しもう一方の突出部３ｂが谷部１ｂと対向する位置で、結束バンド３を、その長手方向Ｑに引っ張って波付管１を締め付けると、結束バンド３は、主に、山部１ａと対向する一方の突出部３ｂ側が伸びて、相対的に短くなったもう一方の突出部３ｂ側が谷部１ｂに向かって倒れる。こうして、結束バンド３は、その横断面形状が傾斜し、もう一方の突出部３ｂは、波付管１の谷部１ｂに入り込む。したがって、結束バンド３には、前記伸びが必要であり、また、前提として、波付管１に沿って湾曲するだけの可撓性が必要となる。そして、突出部３ｂにおいても、バンド本体３ａの一方の面において、一方の突出部３ｂが波付管１の山部１ａに乗り上げても、その乗り上げた突出部３ｂが邪魔になることなく、もう一方の突出部３ｂがその基端まで波付管１の谷部１ｂに入り込むことが可能な、大きさに形成される必要がある。すなわち、結束バンド３の横断面形状の傾斜における、必要な傾斜の角度は、突出部３ｂの大きさが大となるほど大きくなる。したがって、一方の突出部３ｂが波付管１の山部１ａに乗り上げても、その乗り上げた突出部３ｂが邪魔になることなく、もう一方の突出部３ｂがその基端まで波付管１の谷部１ｂに入り込むためには、突出部３ｂの大きさ（主に高さ、すなわち突出寸法）を制限する必要がある。
【００１９】
止め具４は、結束バンド３が通される通し孔４ａと、その通し孔４ａに通された結束バンド３を係止する係止爪４ｂとを備える。また、止め具４は、通し孔４ａに通された結束バンド３に対し、バンド本体３ａの一方の面の突出部３ｂから控えた控え面３ｃに当接する凸部４ｃを備えている。そして、係止爪４ｂは、前記凸部４ｃと対向位置し、それら凸部４ｃと係止爪４ｂとでバンド本体３ａを挟み込む。
【００２０】
ここにおいて、通し孔４ａは、結束バンド３の長手方向Ｑの各端側に対応して二つ設けられる。そして、これら通し孔４ａの各々に対応して、係止爪４ｂと凸部４ｃがそれぞれ設けられる。
【００２１】
詳細には、止め具４は、合成樹脂製の止め具本体４０１と、金属製の爪部材４０２とを備える。そこで、止め具本体４０１に、前記通し孔４ａと凸部４ｃが設けられ、爪部材４０２に、前記係止爪４ｂが設けられる。
【００２２】
より詳細には、止め具本体４０１においては、通し孔４ａ、４ａが、中央に隔壁４ｄを残すようにして、両側にあけられ、さらにその外側に、爪部材４０２が取り付けられる取付孔４ｅがあけられている。そこで、隔壁４ｄの各面に、前記凸部４ｃが設けられる。そして、通し孔４ａと取付孔４ｅとの間は、上部に設けられた連通部４ｆによって通じている。また、取付孔４ｅには、爪部材４０２の後述する係合片４ｉと係合する係合部４ｇが設けられている。
【００２３】
爪部材４０２は、例えば板材からなり、止め具本体４０１の取付孔４ｅに挿入される基部４ｈと、その基部４ｈから延びる前記係止爪４ｂとを有する。そこで、基部４ｈには、係合片４ｉが設けられ、この係合片４ｉが、止め具本体４０１の係合部４ｇと係合することで、爪部材４０２は、止め具本体４０１に取り付けられる。そして、係止爪４ｂは、連通部４ｆを通って通し孔４ａに達するように斜めに延びる。
【００２４】
次に、以上の構成からなる結束バンド３および結束具５の作用効果について説明する。この結束バンド３によると、バンド本体３ａの幅方向の両端には、それら両端に沿って連続して延びる突出部３ｂ、３ｂが設けられている。そこで、この結束バンド３で、波付管１を結束する場合には、突出部３ｂ、３ｂの少なくとも一方が波付管１の谷部１ｂに入り込む（図２、図４参照）。そして、この結束バンド３で、軟質合成樹脂材により被覆されたケーブル２を結束する場合には、突出部３ｂ、３ｂの両方がケーブル２の被覆に食い込む（図５参照）。こうして、突出部３ｂが、波付管１の谷部１ｂに入り込んだり、ケーブル２の被覆に食い込んだりすることで、波付管１やケーブル２の長手方向Ｐの移動を防止する。すなわち、結束バンド３の幅方向の両端に沿って連続して延びる突出部３ｂが、波付管１の谷部１ｂに入り込んだり、ケーブル２の被覆に食い込んだりすることで、波付管１やケーブル２の長手方向Ｐの移動を防止して、それら波付管１やケーブル２をしっかりと結束することができる。
【００２５】
また、突出部３ｂは、バンド本体３ａの一方の面において、一方の突出部３ｂが波付管１の山部１ａに乗り上げても、その乗り上げた突出部３ｂが邪魔になることなく、もう一方の突出部３ｂがその基端まで波付管１の谷部１ｂに入り込むことが可能な、大きさに形成されている。こうして、一方の突出部３ｂが波付管１の山部１ａに乗り上げる場合であっても、もう一方の突出部３ｂがその基端まで波付管１の谷部１ｂに入り込むことで、バンド本体３ａの控え面３ｃが、波付管１の山部１ａに当接することとなる。このため、この結束バンド３で、波付管１の長手方向Ｐの移動を的確に防止することができる。しかも、控え面３ｃには、しぼ模様が付されており、このしぼ模様が波付管１の山部１ａに当接する。このため、結束バンド３で、波付管１の長手方向Ｐの移動をより的確に防止することができる。
【００２６】
また、結束具５においては、止め具４が、バンド本体３ａ（結束バンド３）の控え面３ｃに当接する凸部４ｃを備えて、係止爪４ｂが、凸部４ｃとでバンド本体３ａを挟み込むため、係止爪４ｂは、バンド本体３ａ、つまりは結束バンド３を確実に係止する。
【００２７】
なお、本発明は、上述した実施の形態に限定されるわけではなく、その他種々の変更が可能である。例えば、結束バンド３において、突出部３ｂは、バンド本体３ａの両方の面に形成されているが、一方の面にのみ形成されてもよい。
【００２８】
また、止め具４における二つの通し孔４ａ、４ａは、隔壁４ｄによって隔てられているが、隔壁４ｄを設けることなく、これら二つの通し孔４ａ、４ａが、連続する一つの大きな孔からなっていてもよい。
【００２９】
また、結束バンド３と止め具４とは、互いに分離した別部材からなるが、結束バンド３の一端を止め具４に結合することで、それら結束バンド３と止め具４とを一体に形成してもよい。そして、この場合には、止め具４に設けられる通し孔４ａは、一つあればよい。
【符号の説明】
【００３０】
１  波付管
１ａ  山部
１ｂ  谷部
２  ケーブル
３  結束バンド
３ａ  バンド本体
３ｂ  突出部
３ｃ  控え面
４  止め具
４ａ  通し孔
４ｂ  係止爪
４ｃ  凸部
５  結束具
Ｐ  長手方向
【図１】
2015009814.tif 000003
【図２】
2015009814.tif 000004
【図３】
2015009814.tif 000005
【図４】
2015009814.tif 000006
【図５】
2015009814.tif 000007
【図６】
2015009814.tif 000008
【図７】
2015009814.tif 000009
【図８】
2015009814.tif 000010
【図９】
2015009814.tif 000011
【図１０】
2015009814.tif 000012